(57)【特許請求の範囲】
【請求項１】
牽引車とこれに牽引されるトレーラーとに、それぞれの加速度を検知する牽引車側加速度センサとトレーラー側加速度センサとをそれぞれ搭載し、牽引車側においてブレーキペダルによるブレーキ操作が行われたか否かを検知し、そのブレーキ操作が行われていないときに前記牽引車側加速度センサにて検知された牽引車の加速度と前記トレーラー側加速度センサにて検知されたトレーラーの加速度とを比較し、後者の加速度が前者の加速度より大きい場合に、トレーラーに搭載されている電磁ブレーキを作動させてトレーラーを制動することを特徴とするトレーラーのスネーキング現象防止方法。
【請求項２】
トレーラー側加速度センサにて検知されたトレーラーの加速度が牽引車側加速度センサにて検知された牽引車の加速度より大きくなってから、小さくなるまで、電磁ブレーキを作動させることを特徴とする請求項１に記載のトレーラーのスネーキング現象防止方法。
【請求項３】
牽引車に搭載されてその加速度を検知する牽引車側加速度センサと、牽引車に牽引されるトレーラーに搭載されてその加速度を検知するトレーラー側加速度センサと、牽引車に搭載されてそのブレーキペダルによるブレーキ操作の有無を検知するブレーキペダル操作検知手段と、このブレーキペダル操作検知手段がブレーキ操作が行われていないことを検知しているときに、前記牽引車側加速度センサにて検知された牽引車の加速度と前記トレーラー側加速度センサにて検知されたトレーラーの加速度とを比較し、後者の加速度が前者の加速度より大きい場合に、トレーラーに搭載されている電磁ブレーキを作動させる制御手段とからなることを特徴とするトレーラーのスネーキング現象防止システム。
【請求項４】
制御手段は、トレーラー側加速度センサにて検知されたトレーラーの加速度が牽引車側加速度センサにて検知された牽引車の加速度より大きくなってから、小さくなるまで、電磁ブレーキを作動させることを特徴とする請求項３に記載のトレーラーのスネーキング現象防止システム。
【請求項５】
制御手段は、牽引車側加速度センサからの加速度に応じた出力とトレーラー側加速度センサからの加速度に応じた出力との差を、パルス幅変調して取り出すことを特徴とする請求項４に記載のトレーラーのスネーキング現象防止システム。
【発明の詳細な説明】
【技術分野】
【０００１】
本発明は、トラベルトレーラーやレジャーボート用のトレーラーなどで、例えば下り坂を走行中に、牽引車とトレーラーのブレーキ性能の違いや牽引車側のエンジンブレーキの作用により両車の加速度の違いが発生すると、トレーラーが、牽引車を押すようになり走行が不安定になるスネーキング現象を防止する方法及びシステムに関する。
【背景技術】
【０００２】
従来、電磁ブレーキを搭載したトレーラーを制動する場合、牽引車側の加速度をモニタし牽引車のブレーキペダルを踏むと、牽引車側で減速した加速度に応じてトレーラー側の電磁ブレーキを制御していたため、牽引車側でのエンジンブレーキの減速ではトレーラー側の電磁ブレーキが作動せず、牽引車側の減速とトレーラー側との減速に時差が生じていた。そのためブレーキングのコントロールが難しく、レーラーが後ろから牽引車を押して走行が不安定になるスネーキング現象がしばしば起きる要因になっていた。
【０００３】
特許文献１（特開平８−１６９３２５号公報）には、次のようなトレーラ制動力総合制御装置が開示されている。
トレーラを牽引するトラクタに設けられるブレーキペダルの操作に連動してエアタンクから空気圧をトラクタ及びトレーラの各車輪のブレーキチャンバに供給するエアーブレーキ式であって、トラクタ及びトレーラの各車輪のブレーキチャンバへの空気圧配管に各々設けられた電磁弁と、トラクタ及びトレーラの各車輪の速度を検出する速度センサと、トラクタのブレーキペダルの変位を検出する変位センサと、トラクタに設けられた加速度センサと、トレーラの荷重センサと、速度センサ、変位センサ、加速度センサ及び荷重センサの信号を入力し、トラクタ及びトレーラの各車輪のブレーキトルクを計算し、各電磁弁に信号を出力して、各車輪のブレーキチャンバを作動させる制御装置とを備えてなる。
【０００４】
しかし、これは、主にエアーブレーキを使用し、電磁弁を制御して制動する大型トレーラ車を対象にしている。
また、各種のセンサを用いて、エンジンブレーキ時及びフットブレーキペダルによるブレーキ作動時にトラクタとトレーラの双方の制動力を、各種の変動要素に基づいて最後まで総合的に制御することを意図しており、高価な装置になってしまう。
【特許文献１】特開平８−１６９３２５号公報
【発明の開示】
【発明が解決しようとする課題】
【０００５】
本発明の課題は、トラベルトレーラーなど比較的軽量なトレーラーを自家用自動車で牽引する場合を対象とし、牽引車側でのエンジンブレーキ時にのみトレーラーのみにその電磁ブレーキで制動力を加えてスネーキング現象を防止することにより、牽引車の運転者がブレーキペダルを踏むまでの空走距離を短縮するとともに、牽引車及びトレーラーに既設の制動装置をそのまま利用して、スネーキング現象防止のための所期の制動制御を簡単に実現できるようにすることにある。
【課題を解決するための手段】
【０００６】
請求項１に係る発明のスネーキング現象防止方法は、牽引車とこれに牽引されるトレーラーとに、それぞれの加速度を検知する牽引車側加速度センサとトレーラー側加速度センサとをそれぞれ搭載し、牽引車側においてブレーキペダルによるブレーキ操作が行われたか否かを検知し、そのブレーキ操作が行われていないときに前記牽引車側加速度センサにて検知された牽引車の加速度とトレーラー側加速度センサにて検知されたトレーラーの加速度とを比較し、後者の加速度が前者の加速度より大きい場合に、トレーラーに搭載されている電磁ブレーキを作動させてトレーラーを制動する。
【０００７】
その具体的形態である請求項２に係る発明は、トレーラー側加速度センサにて検知されたトレーラーの加速度が牽引車側加速度センサにて検知された牽引車の加速度より大きくなってから、小さくなるまで、電磁ブレーキを作動させる。
【０００８】
請求項３に係る発明のスネーキング現象防止システムは、牽引車に搭載されてその加速度を検知する牽引車側加速度センサと、牽引車に牽引されるトレーラーに搭載されてその加速度を検知するトレーラー側加速度センサと、牽引車に搭載されてそのブレーキペダルによるブレーキ操作の有無を検知するブレーキペダル操作検知手段と、このブレーキペダル操作検知手段がブレーキ操作が行われていないことを検知しているときに、牽引車側加速度センサにて検知された牽引車の加速度とトレーラー側加速度センサにて検知されたトレーラーの加速度とを比較し、後者の加速度が前者の加速度より大きい場合に、トレーラーに搭載されている電磁ブレーキを作動させる制御手段とからなる。
【０００９】
その具体的形態である請求項４に係る発明は、制御手段が、トレーラー側加速度センサにて検知されたトレーラーの加速度が牽引車側加速度センサにて検知された牽引車の加速度より大きくなってから、小さくなるまで、電磁ブレーキを作動させる。
【００１０】
同じく請求項５に係る発明は、制御手段が、牽引車側加速度センサからの加速度に応じた出力とトレーラー側加速度センサからの加速度に応じた出力との差を、パルス幅変調して取り出す。
【発明の効果】
【００１１】
本発明によると、牽引車側においてブレーキペダルによるブレーキ操作が行われていないときに牽引車側加速度センサにて検知された牽引車の加速度とトレーラー側加速度センサにて検知されたトレーラーの加速度とを比較し、後者の加速度が前者の加速度より大きい場合に、トレーラーに搭載されている電磁ブレーキを作動させてトレーラーを制動するので、牽引車側でのエンジンブレーキ時にのみトレーラーのみにその電磁ブレーキで制動力を加えてスネーキング現象を防止でき、牽引車の運転者がブレーキペダルを踏むまでの空走距離を短縮するとともに、牽引車及びトレーラーに既設の制動装置をそのまま利用して、スネーキング現象防止のための所期の制動制御を簡単に実現できる。
【００１２】
請求項２及び請求項４に係る発明では、トレーラー側加速度センサにて検知されたトレーラーの加速度が牽引車側加速度センサにて検知された牽引車の加速度より大きくなってから、小さくなるまで、電磁ブレーキを作動させるので、スネーキング現象の防止をより確実に行える。
【００１３】
請求項５に係る発明によると、牽引車とトレーラーとの加速度差を簡単に検知できる。
【発明を実施するための最良の形態】
【００１４】
次に、本発明の実施例を図面に基づいて詳細に説明する。
【実施例】
【００１５】
図１及び図２に、牽引車１側の構成とこれに牽引されるトレーラー２側の構成とを併せた、本発明によるスネーキング現象防止システムの全体構成を示す。
牽引車１には、その加速度を検知する牽引車側加速度センサ１１及びマイコン（マイクロコンピュータ）１２を含むブレーキコントローラ１３が搭載されている。ブレーキコントローラ１３には、牽引車１のブレーキペダル１４の操作によりオン・オフするストップライトスイッチ１５が、牽引車１上で接続され、ブレーキコントローラ１３は、このストップライトスイッチ１５をブレーキペダル操作検知手段として、ブレーキペダル１４によるブレーキ操作が行われたか否かを判断する。
【００１６】
一方、トレーラー２には、その車輪を制動する電磁ブレーキ２１の他に、トレーラー２の加速度を検知するトレーラー側加速度センサ２２が搭載され、これらは牽引車１側のブレーキコントローラ１３に接続される。
【００１７】
マイコン１２は、ストップライトスイッチ１５からの信号に従い、牽引車側加速度センサ１１とトレーラー側加速度センサ２２との加速度を比較し、その結果に基づいて電磁ブレーキ２１を制御する制御手段であって、ＣＰＵ、メモリ（ＲＯＭ及びＲＡＭ）、入出力インターフェイスなどを含んで構成されている。
【００１８】
電磁ブレーキ２１は、電磁石２１１が、図示しないカムアームを介してブレーキシュー２１２をブレーキドラム２１３に押し付け、ブレーキシュー２１２とブレーキドラム２１３の摩擦によりトレーラー２の車輪を制動する構成になっている。
【００１９】
次に、各構成要素の作用について図２を参照して詳細に説明する。
ストップライトスイッチ１５は、牽引車１のブレーキペダル１４が作動時にスイッチＯＮ、不作動時にスイッチＯＦＦになり、そのＯＮ／ＯＦＦ時間に比例したパルスを発生させてその信号をマイコン１２へ伝える。
【００２０】
牽引車側加速度センサ１１は、牽引車１側の加速度を検知しマイコン１２にデータを渡す。
トレーラー側加速度センサ２２は、トレーラー２側の加速度を検知しマイコン１２にデータを渡す。
マイコン１２は、牽引車側加速度センサ１１が検知した牽引車１の加速度と、トレーラー側加速度センサ２２が検知したトレーラー２の加速度とを、牽引車１のブレーキペダル１４がスイッチＯＦＦのときに比較する。
【００２１】
ブレーキコントローラ１３は、牽引車１のブレーキペダル１４がスイッチＯＦＦのときの両加速度センサ１１・２２の加速度を比較した結果、牽引車１よりもトレーラー２の方がマイナス加速度が上回る場合、そのマイナス加速度に応じたパルス幅変調と呼ばれるパルスを発生させ、電磁ブレーキ２１にその信号を送信して電磁ブレーキ２１を作動させる。
【００２２】
図３は、牽引車及びトレーラーの加速度の推移と、パルス幅変調動作と、パルス幅変調によりコントロールされる電磁ブレーキの動作を表したグラフである。同図のＡのグラフは、牽引車及びトレーラーの加速度の推移を示し、縦軸は速さ（Ｖ）を、横軸は時間（Ｓ）を表す。Ａ１の折れ線は牽引車１の加速度であり、Ａ２の折れ線はトレーラー２の加速度である。折れ線はスピードが増し、加速度が上がると折れ線が右肩上がりとなる。また、エンジンブレーキで加速度が下がると右肩下がりとなる。Ｂのグラフは、牽引車１とトレーラー２との加速度の差をブレーキコントローラ１３がパルス幅変調したものである。Ｃのグラフは、パルス幅変調により発生したパルスにより作動する電磁ブレーキ２１の動作状態である。
【００２３】
次に、図３のグラフ及び図４のフローチャートを参照して本実施例の一連の動作について説明する。図４のフローチャートにおけるステップａ１〜ａ５は、図３のグラフ中の時点ａ１〜ａ５と対応している。
【００２４】
車が勾配や渋滞やカーブなど何かのタイミングで減速すると、まずストップライトスイッチ１５によりブレーキペダル１４が作動しているかを検知する。ストップライトスイッチ１５がＯＮの場合は、マイコン１２を介してブレーキコントローラ１３により電磁ブレーキ２１を作動させる。（ステップａ１）。
【００２５】
ストップライトスイッチ１５がＯＦＦの場合、マイコン１２は、牽引車側加速度センサ１１が検知した牽引車１の加速度と、トレーラー側加速度センサ２２が検知したトレーラー２の加速度との差を計算する。（ステップａ２）
牽引車側加速度センサ１１の加速度がトレーラー側加速度センサ２２の加速度を上回らない場合には、ステップａ１へ戻る。（ステップａ３）。
【００２６】
一方、トレーラー側加速度センサ２２が検知したトレーラー２の加速度が牽引車側加速度センサ１１が検知した牽引車１の加速を上回る場合、マイコン１２を介してブレーキコントローラ１３により電磁ブレーキ２１を作動させる（ステップａ４）。マイコン１２は、トレーラー側加速度センサ２２の加速度が牽引車側加速度センサ１１の加速度を下回るまで上記の動作を繰り返す。（ステップａ５）
【図面の簡単な説明】
【００２７】
【図１】本発明によるスネーキング現象防止システムの模式図である。
【図２】その構成を示すブロック図である。
【図３】牽引車及びトレーラーの加速度の推移と、パルス幅変調動作と、パルス幅変調によりコントロールされる電磁ブレーキの動作を表したグラフである。
【図４】一連の動作を示すフローチャートである。
【符号の説明】
【００２８】
１  牽引車
２  トレーラー
１１  牽引車側加速度センサ
１２  マイコン
１３  ブレーキコントローラ
１４  ブレーキペダル
１５  ストップライトスイッチ
２１  電磁ブレーキ
２２  トレーラー側加速度センサ
２１１  電磁石
２１２  ブレーキシュー
２１３  ブレーキドラム
【図１】
0004654420.tif 000002
【図２】
0004654420.tif 000003
【図３】
0004654420.tif 000004
【図４】
0004654420.tif 000005